(57)【要約】【課題】  餌あるいは擬似餌に常に自然な誘い動作を生じさせることができ且つ姿勢を安定させ、獲物の魚を鉤に効率良くかかりやすくし、且つ魚信の伝達感度に優れ、糸絡みと根掛かりを防止し、生産上のコストの軽減にも繋がる釣具用仕掛け天秤を提供する。【解決手段】  底面が球状の錘からなる釣具用仕掛け天秤であって、錘上面に凹部を形成し、凹面から重心を通る中心線に対して傾斜した貫通孔を設け、形状記憶合金からなる高弾性線材を中通し遊動可能に連結し、上部凹面よりアーチ状に伸びたアーム（幹糸）を形成させた。【選択図】図１
2010017169.tif 000002
【特許請求の範囲】
【請求項１】
略球状の底面と上面に凹を有する錘からなり、貫通する一つまたは複数の貫通孔を有し、前記貫通孔は前記錘の凹面底近傍から重心を通る中心線に対して少なくとも一部が傾斜してなり、前記錘に形状記憶合金からなる弾性線材が連結され、且つ前記弾性線材は少なくともその一部が、前記錘が立地した時に上部方向へ伸びたアームであることを特徴とする釣具用仕掛け天秤。
【請求項２】
請求項１に記載の釣具用仕掛け天秤であって、前記弾性線材を連結する手段は、前記中心線を外れるように穿設された貫通孔に少なくとも前記弾性線材の一部が中通し遊動可能に一体となったことを特徴とする釣具用仕掛け天秤。
【請求項３】
請求項１又は２に記載の釣具用仕掛け天秤であって、前記弾性線材に水流を受けるための水流抵抗部材を取り付けたことを特徴とする釣具用仕掛け天秤。
【請求項４】
請求項３に記載の釣具用仕掛け天秤であって、前記水流抵抗部材は、形状記憶樹脂又は形状記憶合金からなる高弾性素材であることを特徴とする釣具用仕掛け天秤。
【請求項５】
請求項１、２、３又は４のいずれか１項に記載の釣具用仕掛け天秤であって、前記弾性線材のすくなくとも一部に集魚用回転・振動・光反射プレートが取り付けられたことを特徴とする釣具用仕掛け天秤。
【請求項６】
請求項１、２、３、４又は５のいずれか１項に記載の釣具用仕掛け天秤であって、前記弾性線材は、前記天秤を構成する錘と自在に着脱交換できることを特徴とする釣具用仕掛け天秤。
【発明の詳細な説明】
【技術分野】
【０００１】  この発明は、釣具用仕掛け天秤に係り、仕掛けが絡みにくく、または根掛かりしにくく、特に餌又は疑似餌が自発的に動き易く魚を誘う効果と鉤かかり効果が高く、且つ魚信の伝達感度に優れ、更に狙う水深や対象とする魚種に合わせて、仕掛けと錘の着脱交換が自在に行なえる釣具用仕掛け天秤に関する。
【背景技術】
【０００２】  魚釣りでは、魚をいかにして餌に食いつかせて鉤にかけるかが最も重要であり、餌の姿勢と動き、または魚から見た餌の位置が魚にとって興味ある、自然な生き物の動きに見えるように種々の仕掛けが工夫されている。【０００３】  一方、釣具用天秤は、例えば、イソメや小魚に似せたソフトルアーを鉤に付け、水中で姿勢良く浮遊させたり、泳がせたり餌の自然な動きを妨げないことが要求される。このため従来の仕掛け天秤では天秤に使用される線材や柔軟なパイプを使用し、これらの部材を予め湾曲させ、あるいは角度を付け構成する等種々の工夫がなされており、例えば、特許文献１には、弾力性のある線材をＬ字形状に予め屈曲させ、一端部に錘取り付け部、他端部には仕掛け糸やハリス取り付け部を設け、屈曲部に道糸を取り付けることが提案されている。
また特許文献２では、半球状の錘に線材等の天秤を固定し、餌に魚を誘うようなう動きをさせて釣果を上げようとする工夫がなされている。
【特許文献１】特開２００５−７３６７６
【特許文献２】特開２００７−２２２０７１
【発明の開示】
【発明が解決しようとする課題】
【０００４】  本発明は、水底での仕掛けの餌（疑似餌を含む）餌が自発的に動きやすく、且つ釣り人の誘い操作を行わずとも常に姿勢良く仕掛け全体が安定した状態を保ち、魚が餌に喰らいつく魚信の感度を高め、鉤かかり効果が高く、しかも水中での糸絡を防止し、根掛かりしずらく、たとえ仕掛け天秤が水底から浮き上がった状態でも魚に餌を喰わせる良い姿勢を維持でき、しかも狙う対象魚や水深の違いにより、様々な仕掛け形態と錘の大小の組合わせ交換ができる仕掛け天秤を提供することを目的とする。
【課題を解決するための手段】
【０００５】  本発明の仕掛け天秤は、上部が軽く下部が重い錘形状と形状記憶合金からなる高弾性線材と一体になった構成にし、錘の着地点を含む下面以外の面から上方に少なくとも一部が傾斜角度を成して貫通する弾性線材が通る貫通孔を設けるとともに、貫通孔から上方に向かい伸びる線材の角度を一定に保つためのガイド形状を施した錘であり、且つ弾性線材が遊動可能に取り付けられ、且つ錘を適度に水底で回転させることを特徴とする。【０００６】  好ましくは、貫通孔は直角では無く、直線傾斜あるいは湾曲傾斜角度により設けられ、弾性線材を中通し、遊動可能にすることが良く、弾性線材が常に一定に上方に伸びるやすくなるアーチ型アーム形態を維持する仕掛けの幹糸となるよう錘上部にガイド形状を施すことにより、アーム（幹糸）に取り付けたハリスや鉤の位置を水底に横たわらせず、常に姿勢よく水底から離れた（浮かせた）状態を維持し、魚への誘い効果と鉤掛かり効果を高め、且つ魚信感度に優れ糸絡みも防止することができる。【０００７】  また、本発明の釣具用仕掛け天秤は、上面に凹を有する弾性線材のガイド形態とし、誘導可能に中通しされた弾性線材が凹底面近傍を通りアーチ状に上方向へ突出させる。【０００８】  さらに、本発明の仕掛け天秤は、天秤を構成するアーム部と錘部を着脱自在に中通し交換が可能であり、対象魚に合ったアームの太さや長さ、又は狙う水深により本発明の作用効果に悪影響を与えることなく錘の大小が任意に変更可能になる。
【発明の効果】
【０００９】  本発明の釣具用仕掛け天秤によれば、上部が軽い錘上部に天秤アーム（以下、アームともいう）を上方へ位置させるガイド形状を形成し、仕掛けが水面から落ちて行く間から水底に着地したとき、または仕掛けを巻き取り水底から浮き上がらせた際の仕掛けに取り付けた餌または擬似餌（以下、これらを合わせて餌ともいう）の自然な動きを妨げず、且つ仕掛けを安定な姿勢に保つことができる。また下部が曲面状であるため、水の動きや道糸の張力の変化、あるいはアームの不規則な撓み変化で容易に揺れ、アームに取り付けられたハリスや鉤上の餌に自然な動きを与えることができる。さらに錘の上部を軽くし、着地点を含む下面より上方をアームが遊動可能に貫通して連結されるように構成したことにより、水底への着地時、錘とアームが直線状に水底と平行になりにくく、アームを軸とした錘の必要以上のラジアル回転（横転）を抑制することができるため、起伏のある水底で容易に転がりにくくなり、根掛かりを極力防止することができる。
また逆に適度な回転を起こすことにより、アーム（線材）の捩れや折れ曲がり、更には仕掛けの絡まりを防止し、且つ仕掛け全体を横たわらせず常に安定した姿勢に保ちながら高範囲に獲物を探ることが可能になる。【００１０】  また、本発明の仕掛け天秤によれば、少なくとも弾性線材の一部に集魚効果を促すための光反射回転振動プレート（以下ブレードともいう）が取り付けられることにより魚の誘い効果に相乗効果を産む。
更に、アームとなった片端部近傍に水流を受けるための水流抵抗部材を装着することにより、アームに係止された枝鉤ハリスを安定して配列させ、仕掛けを絡まりにくくさせることにもなる。【００１１】  更に本発明によれば、仕掛けを成すアーム部（幹糸）と錘部が交換可能なため、対象魚や目的の水深により組み合わせが自在に行なえるだけでなく、古くなったものや、キズ等の破損が見つかった場合、新しいものにそれぞれ部品単体で交換が可能になるため経済効果も発揮でき、生産側のコストも使用者側の費用も同時に抑えられることにも繋がる。
【発明を実施するための最良の形態】
【００１２】  以下本発明による釣具用仕掛け天秤の実施の形態を、図面を参照して説明する。
＜第１の実施の形態＞
図１、図２、図３及び図４は、本発明の第１の実施形態とその作用効果を説明する図であり、図１は丸型錘の断面図を含む仕掛け天秤の水底での立地状態を示す側面図。
図２（ａ）は水底で仕掛け天秤が引っ張られ前進している状態、（ｂ）は、（ａ）の状態での錘部の姿勢を示す断面拡大図である。
図３（ａ）、（ｂ）及び図４は水中及び水底での錘と弾性線材との作用効果を説明する図である。
図示する錘１０は、金属、樹脂、金属混練樹脂、金属合金等の水よりも比重の重い材料からなり、略球状の形状を有し、錘の立地点Ｐ点３１を下に上面に向かう一部にくぼみ（凹部）１１、１２が形成されるとともに、くぼみ１２の底部近傍から錘を貫通する貫通孔１３が形成され、且つ前記貫通孔に形状記憶合金からなる高弾性線材１４が中通しされている。
弾性線材は、仕掛けの大小、長短により太さも容易に変更ができるが、およその線径は、φ１．５ｍｍ〜φ０．２ｍｍが幹糸として適当である。【００１３】  錘１０に中通しされた弾性線材１４は、ある任意の一定距離間のみ自由に遊動可能にするため、遊動行き止め及び調整用の間接部材（ビーズ、パイプ等）１５を弾性線材１４に錘を挟み込むように中通し遊動可能に大小配置させ、弾性線材の遊動距離はスリーブ１６でカシメ固定させることにより決定させている。
間接部材１５の形状は略球状または楕円状が好ましいが、くぼみ（凹）形状に合ったアダプタのように、重ね合わさったときに安定する形状であればよいので、線材を中通しできるものであればパイプ状のものでもよい。
又、材質も本件考案の仕掛け天秤の作用効果を著しく低下させないものであれば、樹脂材料あるいは金属材料からなるもので良い。【００１４】  くぼみ（凹）１１は間接部材１５を受け入れるためのくぼみで、中通しされた弾性線材が遊動可能に引き込まれたとき、即ち糸を巻き取ったときや竿をシャクリ上げたとき、間接部材１５が同時にくぼみ面と一時的に重なり合い、弾性線材が安定してアーチ状に上方へ向かわせるガイドの役目を果たす。くぼみは単に半円状でもよいし、図示する様に複数の段が形成されてもよい。くぼみ１１、１２の深さは特に限定はされないが、使用する錘のサイズ、目的とする水深により、又は使用する線材の長さにより、くぼみの深さは自由に選択出来る。【００１５】  また、くぼみ１１、１２は、錘の上部を軽くさせ、常に錘の低重心作用をもたらす役目を果たし、更に錘の重心を通る中心線８１に対して傾斜してなる貫通孔１３を極力錘の中心線近傍に貫き通せる役目を果たすことにより、弾性線材１４及び間接部材１５の引き込み時に錘の中心から上方へアーム１４１が伸びるようになるため、後述するように仕掛け天秤の姿勢バランスに優れる。
尚、錘１０を介する基点より、図示する前進方向と反対側に、錘上面のくぼみからアーチ状に伸びる部分をアームと呼び以後も説明を続ける。【００１６】  くぼみ面から上方へ伸びた弾性線材よりなるアーム１４１には、ハリス糸を取り付けるための枝鉤ハリス係止部材１７がビーズ１５２の間接調整部材とともに取り付けられ、スリーブ１６の間を遊動可能に固定されている。枝鉤ハリス係止部材の数や間隔は、任意に設定が可能であり、対象とする魚種により変更が自由であることはいうまでもない。
またアーチ状に伸びたアームの先端には、先端部のハリス止め用回転スイベル１８が取り付けられている。【００１７】  一方、錘の貫通孔を通るアーム側と反対方向（前進方向）に通り出た弾性線材の先端には道糸２２との連結用第２回転スイベル１８ａが同じくスリーブ１６によりカシメ固定されている。尚、図１に示す道糸２２との連結部材には、道糸の先端にはスナップスイベル２１によりスイベル１８ａと連結される構造を示している。【００１８】  次に、図２、図３及び図４により本発明の実際の作用効果について説明する。
図２（ａ）は、仕掛け天秤が水底を前進方向に移動し、アーム１４１が枝鉤ハリス１９とともに不規則に揺れ動く状態を示している。連結部により繋がれた道糸２２を引っ張ると同時に、図（ｂ）に示すとおり、弾性線材１４及び間接部材１５（１５１も含む）が錘１０のガイドとなる凹部１１、及び１２内の中心方向へ引き込まれ、合致する。そして錘１０は、道糸２２の引っ張り方向角度に応じて、水底での立地状態より、錘の重心を通る中心線８１がα角度をもって傾斜することになる。その際、錘の貫通孔１３は当然道糸の引っ張り方向に向かい、錘が静止立地するＰ点（立地点）３１から錘の傾き立地点Ｐ２点３１１に移動し、立地点からの貫通孔角度βからスイングしながらさらにβ２へ傾斜することとなる。【００１９】  以上の錘の状態により、仕掛け天秤がアームを揺らし、即ち不規則に細かく、人為的に出来ない誘い動作を繰り返しながら水底を推進していくが、図３（ａ）に示すように、仕掛け天秤の推進時、錘１０は弾性線材１４を回転軸とし、Ｒ１及びＲ２の両方向へ水底の起伏に沿って滑らかに不規則に回転移動が行なわれる。錘は上部が軽く下部が重い低重心構造のため、移動の際も絶えず重心復帰をおこなおうとする。即ち重心中心線８１の傾きをもとの立地状態に戻そうとする働きをするため、弾性線材を軸としても、容易には錘全体が回転（横転）動作を起こしにくく、常に滑らかに水底をふらふらした状態で移動することになる。このように、錘の過度な横転動作が抑えられることにより、従来の中通し式錘天秤や直接道糸を中通しした錘仕掛けと比べ、仕掛け全体を極めて安定させた状態で、推進させ且つランダムに誘いを掛けながら探っていくことが可能になる。しかも、錘の過度の回転動作による仕掛け全体の絡まりや、線材の折れ曲がり、破損等も防ぐことができ、根掛かりの回避性にも優れることになる。【００２０】  この様に弾性線材を本技術形態の錘と完全に密着固定するのではなく、遊び（距離＝Ｌ）を持たせ遊動させることにより、仕掛け全体を常に姿勢よく維持させることが可能になるため、魚の微細な魚信に対しても、錘の重さを魚に感じさせにくく、弾性線材のみを引っ張らせ、違和感なく餌を針もろとも喰い込ませることが可能になると同時に魚信感度にも優れる結果となる。【００２１】  更に、本発明の仕掛け天秤の作用効果を図３（ｂ）にて説明を続ける。（ｂ）は、仕掛け天秤を道糸側への引っ張り方向Ｆ１とアーム側引っ張り方向Ｆ２との力が掛かった状態を示す。上述したように引張り力（負荷）が掛からない状態では、本発明技術による高弾性線材の採用により柔軟に錘内部で撓み、誘い効果に優れる仕掛け天秤姿勢をつくることを説明した。図示する状態は例えば、魚が掛かかった状態を示すが、両方向からの最大の力が掛かった場合、錘内に中通しされた弾性線材は、錘の貫通孔１３及びガイドくぼみ（凹）１１、１２のつくり出すスペース１０１内を真直ぐ引っかかることなく遊動可能に伸長できるため、弾性線材は撓みや折れ曲がり状態のまま両方向から強く引っ張られることが無い。そのため、充分に弾性線材の破断張力を利用することができるため、アームとなる幹糸を極力細い状態で使用することが可能になる。このことは、魚にも違和感を与えず誘い動作を作り出せるため釣果に大きく結び付けられる。【００２２】  次に図４により、本発明の仕掛け天秤が水底だけの効果に留まらない、作用効果について説明を行なう。絵図Ｔ１は、本発明の第一の実施形態を持ち上げ水底から離れた状態（ぶら下げた状態）を示す。このような状態は、竿をシャクリ上げたり、シャクリ上げた状態のまま糸を巻き取った水中遊泳時の仕掛け天秤の姿勢である。図示するように、姿勢Ｔ１では、道糸２２が引っ張り上げられる方向へ錘の貫通孔１３も向かい、錘のガイドくぼみ（凹）面が上面よりおよそ９０度近く横を向くかたちとなり、くぼみ面より突出させたアーム１４１は、ほぼ引き上げ方向の道糸２２に対して、およそ直角に位置する。即ち錘を基点にアーム方向と道糸方向とにＬ字状に分かれ、水底に対して水平に保たれたアーム側に取り付けられたエサの姿勢が魚から見た場合、常に喰えやすい位置に保つことができる。これは、道糸２２の水中での水圧抵抗向が直接餌側に直線的につながる不自然な抵抗を受けにくくし、自然なエサの姿勢を作り出し、魚に違和感を与えず餌を常に露呈させることができる。【００２３】  そして、次に仕掛け天秤の引っ張り力を弱めた場合、Ｔ２からＴ３に示すように、錘の低重心Ｇ点９１の作用により、Ｔ１時の錘のくぼみ面が上面を向き直す状態復帰作用を起こすため、アーム部が続いて上方向へ起立していく。
この場合においても、アームに取り付けられた餌は道糸との直線的な抵抗干渉を受けにくく、自然落下のごとく水底まで落ちて行く。更に落下する際、底面が球体形をした錘部の水圧抵抗により、仕掛け天秤全体が不規則に揺れながら落ちていくため、自然に餌にも魚が興味を示す誘いを掛けながら落下していくことになり、あたかも餌となる貝類や甲殻類が落ちていく様を演出する疑似効果もあるため、どの状態においても常に仕掛けを機能させ続けることができる。【００２４】  本実施形態の釣具用仕掛け天秤は、上部よりも下部が重い錘の構成とし、且つ錘下部が球状であるので、安定した天秤の動作を可能にするとともに、水の動きや道糸の引っ張り力によって容易に揺れ、餌に自然な動きをもたらすことができる。
本実施形態の釣具用仕掛け天秤は、（１）錘の底部が略球形面であること、（２）上部にくぼみガイドが形成されていること、（３）くぼみの底部近傍から錘の重心を通る中心線と角度をなすように貫通孔が形成されていること、（４）貫通孔に形状記憶合金からなる高弾性線材が遊動可能に連結されていること、を満たすものであれば、種々の変更が可能である。【００２５】  第１の実施形態の仕掛け天秤を基本として、別の機能を付加した実施の形態を説明する。【００２６】＜第２の実施の形態＞
図５は、本発明の第２の実施形態を示す図で、アーム部先端近傍に水流抵抗板６１を取り付けたものである。図示する（ａ）は水流抵抗板を取り付けた仕掛け天秤を側面より見た図、（ｂ）は、水流抵抗板のみを正面から見た基本形態を示した図である。【００２７】  水流抵抗板は、天秤を構成する錘を基点として、後方へアームを安定した状態に保つ役目を果たすものである。その材質は、樹脂素材でできたものでも、金属素材でできたものでもよいが、好ましくは形状記憶素材からなる高弾性プレートが望ましく、水底で障害物に当たった場合や水流抵抗が大きくなり過ぎた場合などに、形状を変形させにくく耐久性に富むためである。
また、正面図（ｂ）に示す円周面上の丸形状は、過分な水流を逃すための、貫通穴６１１ａ〜６１１ｄである。水流抵抗板の中心には、弾性線材を中通しするための、小径穴６１２が設けられている。
尚、図示する水流抵抗板の取り付け例によれば、抵抗板を両側から楕円形ビーズ１５３で挟み込み、その両側をスリーブ１６でカシメ固定させている。
本発明の第２実施形態では、丸型プレート状の形態を図示し、説明を行なったが、形状記憶材料からなる樹脂または、金属であれば、楕円形状や円錐形状又は、球体形状などでもよい。【００２８】＜第３の実施の形態＞
第３の実施の形態は、図６に示すように、第１の実施の形態を基本として、錘を基点にアームと反対側に伸びる線材に集魚効果用の柳葉型回転プレート７１を取り付けたものである。【００２９】  上記項目番号［００２１］及び［００２２］で説明したように、本発明の仕掛け天秤を水底より離れた位置で天秤操作を行なった際の、第１の実施形態の基本姿勢に更に相乗効果を付加させる目的にある。図示する形態例では、プレートが仕掛け天秤の推進により後方へ流れる水流を受け、回転及び振動を作り出し、又は、光反射を行ない集魚効果を高める、いわばブレードを取り付けたものである。
このことにより、仕掛け天秤の探れる有効範囲を水底だけに限らず、仕掛けを落した状態から底まで、あるいは魚の遊泳層にあった層を泳がせるなど、全ての範囲において誘い効果の高い、魚に喰わせやすい仕掛け天秤が完成する。【００３０】  尚、ブレードの形態は、仕掛け天秤の大きさや長さにより、様々な形状のブレードや大きさを選択出来るのはいうまでもないので、図示することは省略する。
図６に示すブレード７１は、  仕掛け天秤の姿勢位置Ｔ１ａ（遊泳姿勢）及びＴ２ｂ（落下姿勢）の各状態で水流抵抗を受け回転している状態を示す。【００３１】  取り付け方法は、ブレードをスイベル１８ｂで連結し、スイベルの片端の管状部に仕掛け天秤の弾性線材を中通し、両端を間接部材１５４（ビーズ等）で挟み込み、その両端をスリーブ１６でビーズに遊びを持たせカシメ固定させている。間接部材はビーズの代わりにパイプ部材でも良い。【００３２】＜第４の実施の形態＞
次に本発明の釣具用仕掛け天秤の利便性と経済効果を特徴とする実施の形態について図７を示し説明する。
本発明の第１の実施形態を基本とし、中通しされる弾性線材の遊動範囲を予め設定することにより、図７（ａ）に示すように弾性線材１４のアームと反対側の片端に連結用の管状のアイ１４２をつくり、アイ１４２を錘のガイドくぼみ方向から貫通孔１３１に向かい潜らせ外面へ通し出す。
通し出されたアイは、道糸２２と予め連結されたスナップスイベル２１により連結することにより第１の実施形態と同じ作用効果をもたらす。
尚、弾性線材側アイ１４２の外径と錘の貫通孔外径１３１、あるいはスナップスイベル２１の最大外径比は、φａ＞φｂ＞φｃとなる。（ｂ）は連結した状態を示す。【００３３】  このように、本発明の第４の実施形態では、仕掛け天秤を構成する弾性線材と錘とを自在に分離させることができ、目的とする対象魚や水深、水流速度の違いにより、さまざまな状況変化に対応できる組合せ交換が可能になる。
またこのことは、古くなった弾性線材や錘を部品単体として交換できるため、釣人にとっても経済的にも利便性効果が高くなる。【００３４】  以上のように、本発明では、形状記憶合金よりなる高弾性線材の特性である優れた任意の形状弾性を維持した撓み機能を活かせることに加え、錘構造との両方の構成作用により、はじめて本発明の技術効果が達成できる。
【産業上の利用可能性】
【００３５】  本発明の釣具用仕掛け天秤によれば、構成される錘の上面が軽く、下面（立地面）を球面または略球面としたことによりわずかな水流の流れやラインの張力で揺れ動き、魚を誘うことができる。また弾性線材が錘上面の凹よりアーチ状に上方向へ絶えず伸びているため、アームに取り付けたハリス鉤の餌の位置が水底に横たわらず、常に魚に見つけられやすく、また喰らい付きやすい位置、姿勢を維持することが可能となった。
また水底の作用動作に留まらず、仕掛けを水底から浮かせた状態であっても、仕掛  全体の姿勢形状が略Ｌ字になるため、魚に違和感なく餌を見せられ、喰いつかせるタイミングを長時間与えてやることや、且つ集魚効果用のブレードとの相乗効果により、水底から水上付近まで高範囲に誘いながら探ることも可能となった。
さらに天秤を製作する場合においても、従来のように理想とする形状に線材を予め曲げるようなわずらわしさを必要とせず、直線状の線材を錘に中通しする形態のため、構成する部品同士の着脱交換も容易に行なえ、産業上生産する場合においても、コストの削減と時間の短縮及び小ロット多品種生産が可能になる。
【図面の簡単な説明】
【００３６】
【図１】本発明の釣具用仕掛け天秤の球形錘の、第一の実施形態を示す断面図と側面図
【図２】本発明の釣具用仕掛け天秤の水底での移動状態を示す側面図と断面拡大図
【図３】本発明の釣具用仕掛け天秤の作用効果を示す断面拡大図
【図４】本発明の釣具用仕掛け天秤の別の作用効果を示す側面図
【図５】本発明の釣具用仕掛け天秤の、第２の実施形態を示す側面図と部品正面図
【図６】本発明の釣具用仕掛け天秤の、第３の実施形態を示す側面図
【図７】本発明の釣具用仕掛け天秤の、第４の実施形態を示す断面図
【符号の説明】
【００３７】１０・・・錘、１０１・・・スペース、１１・・・くぼみ（凹）、１２・・・くぼみ（凹）、１３・・・貫通孔、１３１・・・第４の実施形態を示す貫通孔、１４・・・弾性線材、１４１・・・アーム、１５・・・間接部材（ビーズ）、１５１・・・第２ビーズ、１５２・・・第３ビーズ、１５３・・・第４ビーズ、１５４・・・第５ビーズ、１６・・・スリーブ、１７・・・枝鉤ハリス係止部材、１８・・・回転スイベル、１８ａ・・・第２回転スイベル、１８ｂ・・・第３回転スイベル、１９・・・枝鉤ハリス、１９１・・・鉤、２１・・・スナップスイベル、２２・・・道糸、３１・・・立地点Ｐ、３１１・・・傾き立地点Ｐ２、６１・・・水流抵抗板、６１１ａ・・・水流抵抗板第１穴、６１１ｂ・・・水流抵抗板第２穴、６１１ｃ・・・水流抵抗板第３穴、６１１ｄ・・・水流抵抗板第４穴、６１２・・・中通し穴、７１・・・回転プレート（ブレード）、８１・・・重心中心線、９１・・・重心点Ｇ。
【図１】
2010017169.tif 000003
【図２】
2010017169.tif 000004
【図３】
2010017169.tif 000005
【図４】
2010017169.tif 000006
【図５】
2010017169.tif 000007
【図６】
2010017169.tif 000008
【図７】
2010017169.tif 000009